(57)【要約】      （修正有）【課題】内視鏡レンズの横から生理食塩水を噴射して、レンズを洗浄する洗浄管を提供する。【解決手段】内視鏡アタッチメント６の吸引管３の反対側に接続するプラスチックチューブ７に注射器をつけて、生理食塩水を注射すると、吸引管３先端部に設けた小さな横穴１からかなりの圧力で生理食塩水がレンズに向かって噴出し、汚れたレンズを洗浄することが出来る。この形態では、接続部の太さにより吸引管３とレンズが少し離れるので、レンズ先に水滴が残りにくく、水滴が残ることによって起こる画像が歪むことが少ない。それゆえ、消化器内視鏡のような水滴を吹き飛ばすための送風システムも不要である。【選択図】図４
0003176713.tif 000002
【実用新案登録請求の範囲】
【請求項１】
脊椎内視鏡（硬性内視鏡）で生理食塩水を用いてレンズを洗浄する洗浄管。
【請求項２】
横穴の開いた手術用吸引管。
【考案の詳細な説明】
【技術分野】
【０００１】この考案は脊椎内視鏡（硬性内視鏡）のレンズ洗浄に関する。
【背景技術】
【０００２】  脊椎内視鏡は、消化器の内視鏡と異なり硬性鏡で、レンズ洗浄システムはない。また消化器内視鏡のように電気メス、鉗子などでの手術操作を同じ筒の中で行う一体型の内視鏡システムとは異なっている。通常、脊椎内視鏡は単体で用いるか、横に内視鏡吸引管のみが付属している状態で用いられている。実際の手術ではレンズが曇ったり、血液や骨の削りかすなどの汚れがレンズに付着することが多く、内視鏡を手術野から取り出して、レンズを用手的に頻回に清拭しなければならなかった。
【先行技術文献】
【０００３】
【非特許文献】
【非特許文献】斯波俊祐著  「腰部脊柱管狭窄症でのチューブラーレトラクターの工夫とアタッチメントの吸引ポートによるスコープ洗浄」  Ｊｏｕｒｎａｌ  ｏｆ  Ｓｐｉｎｅ  Ｒｅｓｅａｒｃｈ  ２０１１年第８巻ページ  １３９１−１３９５
【考案の概要】
【考案が解決しようとする課題】
【０００４】  脊椎内視鏡レンズの先端を簡単に洗浄し、視界を確保する器具を作ること。
【課題を解決するための手段】
【０００５】以上の課題を解決するために、内視鏡レンズの横から生理食塩水を噴射して洗浄する洗浄管を考案した。また、レンズに残った洗浄後の生理食塩水の水滴が画像を歪めるために、水滴を簡単に除去できる手術用吸引管も考案した。
【考案の効果】
【０００６】レンズが曇ったり、汚れたときに生理食塩水を噴射することで簡単に洗浄でき、内視鏡を手術野から取り出さずに手術が続けられる。
【図面の簡単な説明】
【０００７】
【図１】この洗浄管の考案の一実施形態を示す正面からの写真である。
【図２】洗浄管を内視鏡吸引管に接続し、内視鏡も取り付けた状態の写真である。
【図３】考案した、小さな横穴の開いた手術用吸引管の写真である。
【考案を実施するための形態】
【０００８】      この考案の洗浄管の実施形態を図１に示す。太さの異なる細い金属製の管を２本接続固定し、細い方の管の先端を閉鎖し、約２ｍｍ手前に小さな横穴が開いている。実際の使用では、図２のごとく洗浄管を内視鏡のすぐ横にある金属製の内視鏡吸引管に接続し、横穴がレンズの真横になるように取り付け固定する。また考案の手術用吸引管は通常の吸引管の先から、図３のごとく根元に向かって数ｃｍのところに小さな横穴を空けたものである。
【０００９】「実施形態の効果」この実施形態によれば、内視鏡吸引管の反対側に接続するプラスチックチューブに注射器をつけて、生理食塩水を注射すると、洗浄管の小さな横穴からかなりの圧力で生理食塩水がレンズに向かって噴出し、汚れたレンズを洗浄することが出来る。この形態では、接続部の太さにより洗浄管とレンズが少し離れるので、レンズ先に水滴が残りにくく、水滴が残ることによって起こる画像が歪むことが少ない。それゆえ、消化器内視鏡のような水滴を吹き飛ばすための送風システムも不要である。また考案した手術用吸引管では、手術野を吸引すると同時に、手前にある内視鏡レンズも吸引でき、レンズについた水滴を容易に除去することが出来る。
【００１０】「他の実施形態」接続用の金属管に直接横穴を開けた洗浄管である。［図４］内視鏡吸引管に直接、横穴を開けて洗浄管に変更したものである。先端は閉鎖する。［図５］
【符号の説明】
【００１１】１  洗浄管の横穴２  接続部３  内視鏡に付属する吸引管（内視鏡吸引管）４  内視鏡の先端部５  レンズ６  考案した手術用吸引管の横穴７  脊椎内視鏡のアタッチメント８  内視鏡吸引管の反対側のプラスチックチューブ
【図１】
0003176713.tif 000003
【図２】
0003176713.tif 000004
【図３】
0003176713.tif 000005
【図４】
0003176713.tif 000006
【図５】
0003176713.tif 000007
【手続補正書】
【提出日】平成23年12月17日(2011.12.17)
【手続補正１】
【補正対象書類名】実用新案登録請求の範囲
【補正対象項目名】全文
【補正方法】変更
【補正の内容】
【実用新案登録請求の範囲】
【請求項１】
脊椎内視鏡（硬性内視鏡）で、内視鏡アタッチメントの吸引管に接続し、生理食塩水でレンズを洗浄する金属製の横穴を特徴とした洗浄管。
【手続補正３】
【補正対象書類名】明細書
【補正対象項目名】０００５
【補正方法】変更
【補正の内容】
【０００５】以上の課題を解決するために、内視鏡レンズの横から生理食塩水を噴射して、レンズを洗浄する洗浄管を考案した。
【手続補正４】
【補正対象書類名】明細書
【補正対象項目名】０００７
【補正方法】変更
【補正の内容】
【０００７】
【図１】この洗浄管の考案の一実施形態を示す正面からの写真である。
【図２】洗浄管を内視鏡アタッチメントの吸引管に接続し、内視鏡も取り付けた状態の写真である。
【図３】接続用の金属管に直接横穴を開けた洗浄管である。
【図４】内視鏡アタッチメントの吸引管に直接、横穴を開けて洗浄管に変更したものである。先端は閉鎖してある。
【手続補正５】
【補正対象書類名】明細書
【補正対象項目名】０００８
【補正方法】変更
【補正の内容】
【０００８】この考案の洗浄管の実施形態を図１に示す。太さの異なる細い金属製の管を２本接続固定し、細い方の管の先端を閉鎖し、約２ｍｍ手前に小さな横穴が開いている。実際の使用では、図２のごとく、手術野を確保する器具と内視鏡とを接続、固定する内視鏡アタッチメントの金属製の吸引管の先に洗浄管を接続する。洗浄管の横穴が内視鏡先端のレンズの真横になるように取り付け固定する。
【手続補正６】
【補正対象書類名】明細書
【補正対象項目名】０００９
【補正方法】変更
【補正の内容】
【０００９】「実施形態の効果」この実施形態によれば、内視鏡アタッチメントの吸引管の反対側に接続するプラスチックチューブに注射器をつけて、生理食塩水を注射すると、洗浄管の小さな横穴からかなりの圧力で生理食塩水がレンズに向かって噴出し、汚れたレンズを洗浄することが出来る。この形態では、接続部の太さにより洗浄管とレンズが少し離れるので、レンズ先に水滴が残りにくく、水滴が残ることによって起こる画像が歪むことが少ない。それゆえ、消化器内視鏡のような水滴を吹き飛ばすための送風システムも不要である。
【手続補正７】
【補正対象書類名】明細書
【補正対象項目名】００１０
【補正方法】変更
【補正の内容】
【００１０】「他の実施形態」接続用の金属管に直接横穴を開けた洗浄管である。先端は閉鎖してある［図３］内視鏡アタッチメントの吸引管に直接、横穴を開けて洗浄管に変更したものである。先端は閉鎖する。［図４］
【手続補正８】
【補正対象書類名】明細書
【補正対象項目名】００１１
【補正方法】変更
【補正の内容】
【００１１】１  洗浄管の横穴２  接続部３  内視鏡アタッチメントに付属する吸引管４  内視鏡５  内視鏡先端のレンズ６  内視鏡アタッチメント７  吸引管の反対側に接続するプラスチックチューブ
【手続補正９】
【補正対象書類名】図面
【補正対象項目名】図３
【補正方法】変更
【補正の内容】
【図３】
0003176713.tif 000008
【手続補正１０】
【補正対象書類名】図面
【補正対象項目名】図４
【補正方法】変更
【補正の内容】
【図４】
0003176713.tif 000009
【手続補正１１】
【補正対象書類名】図面
【補正対象項目名】図５
【補正方法】削除
【補正の内容】
【手続補正書】
【提出日】平成24年4月9日(2012.4.9)
【手続補正１】
【補正対象書類名】実用新案登録請求の範囲
【補正対象項目名】全文
【補正方法】変更
【補正の内容】
【実用新案登録請求の範囲】
【請求項１】
硬性内視鏡である脊椎内視鏡の内視鏡アタッチメントの吸引管に接続され、金属製で、脊椎内視鏡のレンズを洗浄する生理食塩水を噴出する横穴を有する洗浄管。
【手続補正３】
【補正対象書類名】明細書
【補正対象項目名】０００１
【補正方法】変更
【補正の内容】
【０００１】この考案は硬性内視鏡である脊椎内視鏡のレンズ洗浄に関する。